(57)【要約】  本発明は、繊維材料を使用することで耐破損性が発生し、またパネルも同様に衝撃に対して耐破損性であり、かつ自立構造として壁に取り付けが可能であるような方法で固定される、トラフ及びガラスカバーを具備する天然石製又は人造石製の枠を使用した従来の熱交換器又は太陽光発電パネルの形態で、家壁上に太陽電池パネルを固定させて取り付ける新規の方法に関する。更に、パネルは特に審美に関する高い基準を満たし、かつ手入れが容易であり、またこれにより恒久的な訴求力を有する。石材枠を具備する複数の太陽電池パネルは、石材太陽電池パネルの建物正面全体を形成することができる。
2018518141.tif 000002
【特許請求の範囲】
【請求項１】
積層ガラス、及びプラスチック層又は更なるガラス層を伴い、従来の熱交換器又は太陽光発電変換器のいずれかからなる、平面型若しくはアーチ型の太陽電池モジュールパネル又は太陽モジュール槽（以下、太陽電池モジュールと称する）の構成であって、前記太陽モジュールが、繊維で安定化させた石材製の枠により端部で補強される、という点を特徴とする、太陽電池モジュールの構成。
【請求項２】
前記石材が、天然石若しくは人造石又はコンクリートであるという点を特徴とする、請求項１に記載の構成。
【請求項３】
前記石材を安定化させる前記繊維が、炭素繊維、ガラス繊維、石繊維、アラミド繊維若しくはその他の繊維、又はこれらの繊維の混合物のいずれかであるという事実を特徴とする、請求項１及び２に記載の構成。
【請求項４】
前記枠の前記石層が、前記繊維によりプレストレスを施されているという事実を特徴とする、請求項１〜３のいずれか一項に記載の構成。
【請求項５】
前記繊維が樹脂と結合しているという点を特徴とする、請求項１〜４のいずれか一項に記載の構成。
【請求項６】
前記枠が、好ましくは熱硬化性エポキシド樹脂を用いて太陽モジュールと堅く接合している、又は好ましくはシリコン系接着剤組成物を用いて太陽モジュールと接着している、という点を特徴とする、請求項１に記載の構成。
【請求項７】
石材枠の手助けにより、前記太陽モジュールを壁上又はその他の正面固定具上に固定することを可能にする固定装置を、前記枠が有するという点を特徴とする、請求項１に記載の構成。
【請求項８】
家屋の正面に複数の太陽モジュールを形成することができるという点を特徴とする、請求項１〜７のいずれか一項に記載の構成。
【発明の詳細な説明】
【背景技術】
【０００１】
従来の太陽モジュールは、例えばアルミニウムの薄板を屈曲させる、又はアルミニウムにて圧伸成形若しくは押出加工されるような、合成材料、アルミニウム又はその他の金属類製の枠を有する。現在ではボーキサイトの採鉱が降雨林産の新規アルミニウムの製造に対して確実で信頼できる故に、生産に多大のエネルギーを消費しかつ製造過程において多くのＣＯ２（二酸化炭素）排出の負担があるアルミニウムは、もはや環境適合性であるとは考えられていない。金属は一般に、それらの表面が腐食して汚れ、かつ多大な努力なしではもはや表面を洗浄して磨きをかけることができない、という欠点を有する。
【発明の概要】
【発明が解決しようとする課題】
【０００２】
本状況は、結果的に多くの太陽モジュールシステムが時間の経過とともに不体裁となり、また極めて負の印象を残すという事実をもたらす。屋根用としては、本欠点はむしろ些細なものであるが、壁及び建物の正面では、支障を来たす存在以上となる。
【０００３】
この理由のために、本発明はここで更に一歩進んで、上記の全てが経年後であっても依然として美しくかつ装飾的な外観である、ガラスカバー及びガラス槽（耐候性であり、洗浄が容易である又は理想的には自己洗浄型である安定した枠）を伴う、太陽モジュール型太陽光発電（ＰＶ）又は熱交換器モジュール設備を提案する。
【０００４】
本状況下では、個人の生活分野においてであるにもかかわらず、これらのモジュールは純然たる屋根設備よりもより広範な市場を占める見込みがあり、現時点では部分的にのみ利用が可能であって、かつ建築法規及び所有権により制限されている。ネジで容易に壁に取付けることができ、かつ家屋を移転する際に取り外しが可能である移動ユニットは未だ入手可能ではないが、より広範な市場を開拓してきた。本概念は、本発明に特化している。
【０００５】
各家屋の外面において、美しく表現された壁の某所に２５０Ｗｐを伴う単一のＰＶ太陽モジュールのみが取り付けられた場合、次に、ドイツにおける4千万の家屋に関して、これは中規模原子力発電所２区画分の電力に相当する、年間電力出力量約１千万k  Whに相当することになる。
【０００６】
ドイツにおける年間の電力消費量は、現在では約６４０ＴＷｈである。現実的に、一世帯当たり又は一集合住宅当たり２つの太陽モジュールが、本出力量の約３％に及び得る。
【０００７】
より多くの家屋の壁面を広範囲に使用した場合、ドイツにおける全ての原子力発電所に取って代わることができる。壁面は屋根ふき材と比較して適合させるのがより容易ではあるが、今現在、光学的効果及び材料的欠陥は、アルミニウム製クランプが使い古されて表面が不体裁となるために、このようなモジュールを壁へ設置することに対しての障害である。
【課題を解決するための手段】
【０００８】
これは、石材枠（繊維安定化により、破損に対して石材が保護される）の使用により本発明を介して解決される。なお、現在、石材スラブを用いて行われる全ての建物正面ソリューションは、本明細書に記載したモジュールで単に置き換えが可能であり、また石材枠を伴う複数の太陽モジュールが完全に石材で構築された太陽モジュールの建物正面を成形できるという点において、本発明は新規の建物正面ソリューションとなる。
【図面の簡単な説明】
【０００９】
【図１】花崗岩の枠（２）により固定させたガラス／ガラス太陽モジュール（１）を示す図である。
【図２】石灰岩の枠（２）により固定させたガラス／合成材料太陽モジュール（１）を示す図である。
【図３】石英岩の枠（２）により固定させたガラス／ガラス太陽モジュール（１）を示す図である。
【図４】いくつかのＰＶ太陽モジュールからなる、建物正面のソリューション（１）を示す図である。
【発明を実施するための形態】
【００１０】
ＰＶ太陽電池モジュール枠の可能な技術的設計を、本枠をどのように組み立てることができるかを図示する図１〜３に示し、イメージ４は完成した建物正面ソリューションを示す。
【００１１】
イメージ１は、花崗岩の枠（２）により固定させたガラス／ガラス太陽モジュール（１）を示し、当該枠（２）は縁辺にて衝撃からガラス（３）を保護し、かつ同時に固定ソケット、又はステンレス鋼製の固定ソケット若しくはスレッド（５）を収容する。枠縁は、石材縁の中央で繊維材料の１つの層（４）により固定されており、この層は、縁の方向で長手方向の配向にて、モジュールの水平面と直交する配置に位置している。
【００１２】
イメージ２は、石灰岩の枠（２）により固定させたガラス／合成材料太陽モジュール（１）を示し、枠（２）は縁辺にて衝撃からガラス及び合成材料（３）を保護し、かつ同時に固定ソケット、又はステンレス鋼製の固定ソケット若しくはスレッド（５）を収容する。枠縁は、石材縁の中央で繊維材料の１つの層（４）により固定されており、この層は、縁の方向で長手方向の配向にて、モジュールの水平面と平行した配置に位置している。
【００１３】
イメージ３は、石英岩の枠（２）により固定させたガラス／ガラス太陽モジュール（１）を示し、枠（２）は縁辺にて衝撃からガラス（３）を保護し、かつ同時に固定ソケット、又はステンレス鋼製の固定ソケット若しくはスレッド（５）を収容する。枠縁は、石材縁の底側で繊維材料の１つの層（４）により固定されており、この層は、縁の方向で長手方向の配向にて、モジュールの水平面と平行した配置に位置している。
【００１４】
イメージ４は、いくつかのＰＶ太陽モジュールからなる、建物正面のソリューション（１）を示す。
【００１５】
炭素繊維、ガラス繊維、アラミド繊維又は石繊維からなる繊維層（樹脂結合繊維）として、３つの全ての場合を用いることができ、またこれらはプレストレス下で石材を保持する。
【図１】
2018518141.tif 000003
【図２】
2018518141.tif 000004
【図３】
2018518141.tif 000005
【図４】
2018518141.tif 000006
【国際調査報告】
2018518141.tif 000007
2018518141.tif 000008
2018518141.tif 000009
2018518141.tif 000010
2018518141.tif 000011
2018518141.tif 000012